(57)【要約】【課題】構造がシンプルで設備コストが安く、メンテナンスも簡単に行えるとともに、原水流入用の圧送ポンプも小型で安価なものが使用できる沈砂分離装置を提供する。【解決手段】原水に含まれる砂を沈砂分離する沈砂分離装置である。原水流入口６を上部に有し、分離砂排出口７を底部に有する沈砂分離槽１と、上部開口２ａから下部開口２ｂに向かって小径となるテーパ管２とを備えている。テーパ管２の外面に沿って、上側から下側に向かう螺旋状のテーパ通路部が形成された螺旋状分離通路３と、テーパ管２の上部開口２ａ側から排出される分離水および浮遊性有機ゴミｄを、下水処理施設等に送るための分離水排出口４とを備えている。【選択図】図１
2014205119.tif 000002
【特許請求の範囲】
【請求項１】
原水に含まれる砂を沈砂分離する沈砂分離装置において、
接線方向から原水を流入させる原水流入口を上部に有し、分離砂排出口を底部に有する沈砂分離槽と、
前記沈砂分離槽の内部に設置され、上部開口から下部開口に向かって小径となるテーパ管と、
前記沈砂分離槽の内部に設置され、前記テーパ管の外面に沿って、上側から下側に向かう螺旋状のテーパ通路部が形成され、前記原水流入口から流入した原水を導入して螺旋状に旋回させながら下降通過させる過程で、遠心力と重量沈殿とで沈砂分離し、前記テーパ通路部の底壁の外壁部分に形成された切欠き穴から分離砂を排出する螺旋状分離通路と、
前記沈砂分離槽の上部に設置され、前記テーパ管の上部開口側から排出される分離水および浮遊性有機ゴミを、下水処理施設等に送るための分離水排出口とを備えたことを特徴とする沈砂分離装置。
【請求項２】
前記テーパ管の外面は、前記螺旋状分離通路の内面を閉塞する内壁を兼ねていることを特徴とする請求項１に記載の沈砂分離装置。
【請求項３】
前記螺旋状分離通路の断面積は、上側よりも下側が広くなるように設定されていることを特徴とする請求項１または２に記載の沈砂分離装置。
【請求項４】
前記テーパ管は、垂直軸回りに回転することで、内面で分離水を連れ回しながら、下部開口側から上部開口側に分離水を揚水するものであることを特徴とする請求項１〜３のいずれか一項に記載の沈砂分離装置。
【請求項５】
前記テーパ管は、前記上部開口付近の外面に羽根部材が取付けられ、前記原水流入口から流入した原水の水圧で、前記羽根部材により回転されるものであることを特徴とする請求項４に記載の沈砂分離装置。
【請求項６】
前記テーパ管は、電動機で回転されるものであることを特徴とする請求項４または５に記載の沈砂分離装置。
【発明の詳細な説明】
【技術分野】
【０００１】
本発明は、沈砂分離装置に関する。
【背景技術】
【０００２】
従来、下水処理施設において、原水に含まれる砂を沈砂分離する沈砂分離装置がある（特許文献１参照）。
【０００３】
かかる沈砂分離装置は、図６のように、外側の分級室３０Ａと、この外側の分級室３０Ａに対し隔離して配設された内側の分級室３０Ｂと、これらの両分級室３０Ａ，３０Ｂの上部に配置された分離装置３１とを備えて構成されている。
【０００４】
分離装置３１は、外側の分級室３０Ａから内側の分級室３０に亘って形成されて、原水が流入する第１の螺旋流路３２を有している。
【０００５】
第１の螺旋流路３２から分岐してその下層に設けられ、原水が流入する第２、第３の螺旋流路３３，３４を有している。第１の螺旋流路３２において第２、第３の螺旋流路３３，３４が分岐される位置に形成された開口３５，３６を有している。
【０００６】
各螺旋流路３２，３３，３４に沿って形成され、原水中の砂等を落下させ、この砂等をその大きさに応じて、外側の分級室３０Ａと内側の分級室３０Ｂにそれぞれ分別して分級するための切欠き穴３７，３７Ａ，３７Ｂを有している。
【０００７】
各螺旋流路３２，３３，３４の終端に形成された排出口３８と、この排出口３８に連通し、原水から砂等を分離した処理水を導く排水流路３９を有している。
【０００８】
そして、螺旋流路３２，３３，３４を流れる原水中の砂等を、遠心力の作用と重力沈殿の作用によって分離でき、砂等の大きさに応じて外側の分級室３０Ａと内側の分級室３０Ｂに分級して集積することができる。また、螺旋流路３２，３３，３４が分岐して複数階層で設けられたことから、原水が、螺旋流路３２，３３，３４の各分岐位置に設けられた開口３５，３６の下流側で複数の螺旋流路３３，３４内を流れる。そのため、流速が減じられて、原水中の砂等の沈降が促進されるというものである。
【先行技術文献】
【特許文献】
【０００９】
【特許文献１】特開２００７−３０７４８９号公報
【発明の概要】
【発明が解決しようとする課題】
【００１０】
しかしながら、特許文献１では、原水に含まれる砂を粗砂と細砂とに分級することから、外側の分級室３０Ａと内側の分級室３０Ｂとが必要となる。そして、外側の分級室３０Ａから内側の分級室３０に亘って第１の螺旋流路３２を形成し、第１の螺旋流路３２から分岐してその下層に、第２、第３の螺旋流路３３，３４を形成する必要がある。そのため、構造が複雑で設備コストが高くなり、メンテナンスも煩わしいという問題がある。
【００１１】
さらに、原水の流入量は、圧送ポンプの能力で決まるから、原水の流入量を増加させて、原水の処理能力を向上させるためには、大型で高価な圧送ポンプが必要となるという問題がある。
【００１２】
本発明は、前記問題を解消するためになされたもので、構造がシンプルで設備コストが安く、メンテナンスも簡単に行えるとともに、原水流入用の圧送ポンプも小型で安価なものが使用できる沈砂分離装置を提供することを目的とするものである。
【課題を解決するための手段】
【００１３】
前記課題を解決するために、本発明は、原水に含まれる砂を沈砂分離する沈砂分離装置である。そして、接線方向から原水を流入させる原水流入口を上部に有し、分離砂排出口を底部に有する沈砂分離槽と、前記沈砂分離槽の内部に設置され、上部開口から下部開口に向かって小径となるテーパ管とを備えている。また、前記沈砂分離槽の内部に設置され、前記テーパ管の外面に沿って、上側から下側に向かう螺旋状のテーパ通路部が形成された螺旋状分離通路を備えている。この螺旋状通路は、前記原水流入口から流入した原水を導入して螺旋状に旋回させながら下降通過させる過程で、遠心力と重量沈殿とで沈砂分離し、前記テーパ通路部の底壁の外壁部分に形成された切欠き穴から分離砂を排出するためのものである。さらに、前記沈砂分離槽の上部に設置され、前記テーパ管の上部開口側から排出される分離水および浮遊性有機ゴミを、下水処理施設等に送るための分離水排出口を備えている。
【００１４】
本発明によれば、沈砂分離槽の原水流入口から流入した原水は、テーパ管の外面に沿って上側から下側に向かう螺旋状分離通路に導入されて、螺旋状に旋回しながら下降通過する。その過程における遠心力と重量沈殿とで、重い粗砂と軽い細砂が沈砂分離されるようになる。
【００１５】
そして、分離砂は、テーパ通路部の底壁に沈下しながら切欠き穴から沈砂分離槽の内面方向に排出されて、分離砂排出口から外部に排出されるようになる。
【００１６】
また、分離水および浮遊性有機ゴミは、沈砂分離槽の底部若しくは底部に溜まった分離砂で方向転換されながら、テーパ管の下部開口から上部開口に向かって反転上昇し、テーパ管の上部開口側から、分離水排出口で下水処理施設等に送られるようになる。
【００１７】
このように、上下方向に立体的な旋状分離通路によって、長い通路長を確保できるので、コンパクトな構造でありながら、沈砂分離の効率が向上するようになる。また、沈砂分離槽の内部に、テーパ管と、テーパ管の外面に沿った螺旋状分離通路とを設置することで構成できるから、構造がシンプルで設備コストが安くなる。
【００１８】
さらに、テーパ管とテーパ通路部の螺旋状分離通路であり、かつ螺旋状分離通路の通路部の通路断面積が上側と下側が同じである場合、通路部の半径が下側ほど小さくなっても、原水の流速は、上側と下側が同じである。砂の重さが同じであるとすると、遠心力は上側よりも下側が大きくなるが、砂の重さが異なると、重い粗砂は、その重量によって上側では大きな遠心力も働くので、遠心分離と重量沈殿されるようになる。それとともに、軽い細砂は、下側の通路部の半径が小さくなることから遠心力が増すので、遠心分離されやすくなる。したがって、テーパ通路部の全長に亘って沈砂量が分散化（均一化）されるので、切欠き穴からの排出が安定するようになる。
【００１９】
前記テーパ管の外面は、前記螺旋状分離通路の内面を閉塞する内壁を兼ねている構成とすることができる。
【００２０】
この構成であれば、テーパ管を上方に抜き外せば、螺旋状分離通路の内部が全て露出可能であるから、切欠き穴に詰まった粗砂や浮遊性有機ゴミの除去等のメンテナンスが容易に行えるようになる。
【００２１】
前記螺旋状分離通路の断面積は、上側よりも下側が広くなるように設定されている構成とすることができる。
【００２２】
この構成によれば、螺旋状分離通路の断面積が上側と下側が同じであれば、遠心力と重量沈殿とで、上側ほど重い粗砂、下側ほど軽い細砂が沈砂分離される。これに対して、螺旋状分離通路の断面積を、上側よりも下側を広く設定すれば、原水の流速は下側ほど遅くなって遠心力がより小さくなるから、細砂の遠心分離は少なくなるものの、軽沈砂分離がより促進されて、沈砂分離能力が一層向上するようになる。また、螺旋状分離通路の断面積が徐々に広くなるから、テーパ通路部の全長に亘って沈砂量が分散化（均一化）されるので、切欠き穴からの排出が安定するようになる。
【００２３】
前記テーパ管は、垂直軸回りに回転することで、内面で分離水を連れ回しながら、下部開口側から上部開口側に分離水を揚水するものである構成とすることができる。
【００２４】
この構成によれば、テーパ管が回転することで、分離水はテーパ管の内面との摩擦で連れ回り、この連れ回る分離水は、下部開口側よりも上部開口側の方が早い流速となる。そして、上部開口側の分離水は、遠心力でテーパ管の外方に弾き出されることで、上部開口側の分離水が希薄になる。この結果、下部開口側から上部開口側に揚水が促進されるため、浮遊性有機ゴミとともに分離水が積極的に揚水されるようになる。これにより、浮遊性有機ゴミの排出も促進されるとともに、揚水量の増加に伴って原水の流入量も増加するので、小型で安価な圧送ポンプであっても、原水の処理能力が向上するようになる。
【００２５】
前記テーパ管は、前記上部開口付近の外面に羽根部材が取付けられ、前記原水流入口から流入した原水の水圧で、前記羽根部材により回転されるものである構成とすることができる。
【００２６】
この構成によれば、原水の水圧でテーパ管を回転できるから、電動機のような動力源が不要になり、無動力化が図れるようになる。また、羽根部材での抵抗で原水の水圧が減勢されるから、原水の螺旋状分離通路内の滞在時間が長くなるので、沈砂分離能力がより向上するようになる。
【００２７】
前記テーパ管は、電動機で回転されるものである構成とすることができる。
【００２８】
この構成によれば、電動機でテーパ管の回転速度を変えて揚水量等を微調整できるようになる。
【発明の効果】
【００２９】
本発明によれば、構造がシンプルで設備コストが安く、メンテナンスも簡単に行えるとともに、原水流入用の圧送ポンプも小型で安価なものが使用できる。
【図面の簡単な説明】
【００３０】
【図１】本発明に係る第１実施形態の沈砂分離装置の側面断面図である。
【図２】図１のＩ−Ｉ線平面断面図である。
【図３】（ａ）はテーパ管の平面図、（ｂ）はテーパ管の断面図である。
【図４】本発明に係る第２実施形態の沈砂分離装置の側面断面図である。
【図５】本発明に係る第３実施形態の沈砂分離装置の側面断面図である。
【図６】背景技術の沈砂分離装置であり、（ａ）は側面断面図、（ｂ）は平面断面図である。
【発明を実施するための形態】
【００３１】
以下、本発明を実施するための形態について、図面を参照しながら詳細に説明する。図１は第１実施形態の沈砂分離装置の側面断面図である。図２は図１のＩ−Ｉ線平面断面図である。図３（ａ）はテーパ管の平面図、（ｂ）はテーパ管の断面図である。
【００３２】
沈砂分離装置は、沈砂分離槽１と、沈砂分離槽１の内部に設置されるテーパ管２と、沈砂分離槽１内でテーパ管２との間に設置される螺旋状分離通路３と、沈砂分離槽１の上部に設置される分離水（浮遊性有機ゴミを含む）排出管４とで基本構成されている。
【００３３】
沈砂分離槽１は、大径の円筒状上槽１Ａと、小径のテーパ筒状下槽１Ｂとで構成され、下槽１Ｂは、上部１ａが上槽１Ａ内に突出して、この上部１ａから底部１ｂに向かって細くなるように形成されている。なお、下槽１Ｂは、必ずしもテーパ筒状である必要はなく、円筒状に形成してもよい。この沈砂分離槽１は、下水処理施設の基礎部分に設置されている。
【００３４】
上槽１Ａの上面は蓋部材５で閉塞され、上槽１Ａの側面には、下槽１Ｂの側面上部に接線方向から原水ａを流入させる原水流入口６が水密に貫通されている。
【００３５】
下槽１Ｂの底には、分離砂排出口７が形成され、この分離砂排出口７の下方にスクリューコンベヤ１７が設置され、分離砂排出口７から排出された分離砂は、スクリューコンベヤ１７で下水処理施設の貯留部分に搬出されるようになる。
【００３６】
下槽１Ｂの内部には、上部開口２ａから下部開口２ｂに向かって小径となるテーパ管２が設置されている。テーパ管２の上部開口２ａの付近の内面には、図３（ａ）のように、円周上略等角度間隔（本例では４５度）で支持アーム９が放射状に取付けられ、各支持アーム９の中心部には回転軸１０が取付けられている。この回転軸１０は、上槽１Ａの蓋部材５の軸受１２で垂直軸回りに回転自在に支持されている。テーパ管２の上端には、下槽１Ｂの上端との間を略水密に閉塞するリング状上カバー８が取付けられている。
【００３７】
テーパ管２の上部開口２ａの付近の外面には、上カバー８に跨って円周上略等角度間隔（本例では４５度）で複数枚の羽根部材１３が取付けられている。そして、原水流入口６から下槽１Ｂの上部に流入した原水の水圧が羽根部材１３に作用することで、テーパ管２が上カバー８とともに回転軸１０を中心に回転されるようになる。
【００３８】
下槽１Ｂの内部には、この下槽１Ｂの内面とテーパ管２の外面との間に、テーパ管２の外面に沿って、上側から下側に向かう螺旋状のテーパ通路部が形成された螺旋状分離通路３が取付けられている。
【００３９】
例えば、図２のように、原水流入口６から下槽１Ｂ内に左回り（反時計回り）方向ｂに原水ａを流入させるとした場合、螺旋状分離通路３も左回り方向に上側から下側に向かう螺旋としている。
【００４０】
テーパ管２は、羽根部材１３によって左回り方向ｂに回転されることになり、テーパ管２が回転することで、テーパ管２の内面で分離水を連れ回しながら、下部開口２ｂ側から上部開口２ａ側に分離水を揚水ｃするようになる。テーパ管２の上部開口２ａ側には、円周上略等角度間隔で、揚水された分離水および浮遊性有機ゴミｅをオーバーフローさせて上槽１Ａ内に排出する複数の切欠き開口２ｄが形成されている。
【００４１】
螺旋状分離通路３は、原水流入口６から流入した原水ａを導入して螺旋状に旋回させながら下降通過させる過程で、原水に含まれる砂ｄを遠心力と重量沈殿とで沈砂分離するものである。
【００４２】
螺旋状分離通路３の底壁３ａは下向きに傾斜され、この底壁３ａの外壁部分３ｂに形成された切欠き穴１５から分離砂ｄを下槽１Ｂの内面方向に排出するようになっている。
【００４３】
螺旋状分離通路３は、本実施形態では内壁が無く、テーパ管２の外面が螺旋状分離通路３の内面を閉塞する内壁を兼ねるようにしている。したがって、螺旋状分離通路３の内端部とテーパ管２の外面とは、接触しない程度の僅かな隙間が隔てられている。
【００４４】
上槽１Ａの外周側の底部には、テーパ管２の上部開口２ａの切欠き開口２ｄから排出される分離水および浮遊性有機ゴミｅを、下水処理施設等に送るための分離水排出管（分離水排出口）４が接続されている。なお、沈砂分離槽１に隣接する処理槽等に分離水および浮遊性有機ゴミｅを送るときは、分離水排出管４に代えて、分離水排出樋（分離水排出口）であってもよい。
【００４５】
第１実施形態の沈砂分離装置であれば、沈砂分離槽１の原水流入口６から下槽１Ｂ内に流入した原水ａは、テーパ管２の外面に沿って上側から下側に向かう螺旋状分離通路３に導入されて、螺旋状に旋回しながら下降通過する。その過程における遠心力と重量沈殿とで、重い粗砂と軽い細砂が沈砂分離されるようになる。
【００４６】
そして、分離砂ｄは、テーパ通路部の底壁１４ａに沈下しながら切欠き穴１５から下槽１Ｂの内面方向に排出されて、分離砂排出口７から外部に排出され、スクリューコンベヤ１７で処理施設の貯留部分に搬出されるようになる。
【００４７】
また、分離水および浮遊性有機ゴミｅは、沈砂分離槽１の下槽１Ｂの底部若しくは底部に溜まった分離砂ｄで方向転換されながら、テーパ管２の下部開口２ｂから上部開口２ａに向かって反転上昇する。そして、テーパ管２の上部開口２ａの切欠き開口２ｄから上槽１Ａ内にオーバーフローした後、分離水排出管４で下水処理施設等に送られるようになる。
【００４８】
このように、上下方向に立体的な螺旋状分離通路３によって、長い通路長を確保できるので、コンパクトな構造でありながら、沈砂分離の効率が向上するようになる。また、沈砂分離槽１の内部に、テーパ管２と、テーパ管２の外面に沿った螺旋状分離通路３とを設置することで構成できるから、構造がシンプルで設備コストが安くなる。
【００４９】
ここで、上部開口２ａから下部開口２ｂに向かって小径となるテーパ管２と、このテーパ管２の外面に沿って、上側から下側に向かう螺旋状のテーパ通路部が形成された螺旋状分離通路３との関係を述べる。
【００５０】
遠心力Ｆは、次式で表される。Ｆ＝ｍ  ｖ２／ｒ
ｍ：砂等の質量、ｖ：原水の流速、ｒ：通路部の半径
今、上部開口から下部開口に向かって同径のストレート管と、このストレート管の外面に沿って、上側から下側に向かう螺旋状のストレート通路部が形成された螺旋状分離通路とを考える。
【００５１】
螺旋状分離通路の通路部の通路断面積が上側と下側が同じであると、ストレート管とストレート通路部の螺旋状分離通路である場合、通路部の半径ｒも同じであるから、原水の流速ｖは、上側と下側が同じであり、遠心力Ｆは、上側と下側が同じである。そのため、重い粗砂は、その重量によって上側では大きな遠心力Ｆも働くので、遠心分離と重量沈殿されやすいが、軽い細砂は下側では遠心分離されにくい。
【００５２】
これに対して、本願発明のように、テーパ管２とテーパ通路部の螺旋状分離通路３である場合、通路部の半径ｒが下側ほど小さくなっても、原水の流速ｖは、上側と下側が同じである。砂の重さが同じであるとすると、遠心力Ｆは上側よりも下側が大きくなるが、砂の重さが異なると、重い粗砂は、その重量によって上側では大きな遠心力Ｆも働くので、遠心分離と重量沈殿されるようになる。それとともに、軽い細砂は、下側の通路部の半径が小さくなることから遠心力Ｆが増すので、遠心分離されやすくなる。したがって、テーパ通路部の全長に亘って沈砂量が分散化（均一化）されるので、切欠き穴１５からの排出が安定するようになる。
【００５３】
また、螺旋状分離通路３の通路部の通路断面積が上側と下側が同じであると、後述するように、螺旋状分離通路３の断面積を、上側よりも下側を広く設定する場合に比べて、螺旋状分離通路３の製造コストが安くなる。
【００５４】
さらに、テーパ管２が回転することで、分離水はテーパ管２の内面との摩擦で連れ回り、この連れ回る分離水は、下部開口２ｂ側よりも上部開口２ａ側の方が早い流速となる。そして、上部開口２ａ側の分離水は、遠心力でテーパ管２の外方に弾き出されることで、上部開口２ａ側の分離水が希薄になる。この結果、下部開口２ｂ側から上部開口２ａ側に揚水が促進されるため、浮遊性有機ゴミとともに分離水ｅが積極的に揚水されるようになる。これにより、浮遊性有機ゴミの排出も促進されるとともに、揚水量の増加に伴って原水の流入量も増加するので、小型で安価な圧送ポンプであっても、原水の処理能力が向上するようになる。なお、図１および図２に二点鎖線で示すように、テーパ管２の内面に、上下方向に延在する羽根部２ｃ（円周上略等角度間隔で複数枚であればなお良い。）を設ければ、分離水の連れ回り量が増加するので、揚水がより促進されるようになる。この場合、羽根部２ｃは、図３（ｂ）の符号２ｃ’ように、分離水に上昇流ｆを生じさせる方向に傾斜させることが好ましい。
【００５５】
さらに、テーパ管２は、羽根部材１３により、原水ａの水圧で回転できるから、電動機のような動力源が不要になり、無動力化が図れるようになる。また、羽根部材１３での抵抗で原水ａの水圧が減勢されるから、原水ａの螺旋状分離通路３内の滞在時間が長くなるので、沈砂分離能力がより向上するようになる。
【００５６】
テーパ管２は、羽根部材１３に代えて、または羽根部材１３とともに電動機２０で回転することも可能である。このようにすれば、電動機２０でテーパ管２の回転速度を変えて揚水量等を微調整できるようになる。羽根部材１３の補助として電動機２０を併用すれば、低出力の小型で安価な電動機２０とすることができる。
【００５７】
なお、テーパ管２は、羽根部材１３等で回転させれば、浮遊性有機ゴミとともに分離水ｅが積極的に揚水されるものであるが、回転させる必要は必ずしも無く、回転させない構造とすることもできる。
【００５８】
また、テーパ管２の外面は、螺旋状分離通路３の内面を閉塞する内壁を兼ねている。したがって、テーパ管２を上方に抜き外せば、螺旋状分離通路３の内部が全て露出可能であるから、切欠き穴１５に詰まった粗砂や浮遊性有機ゴミの除去等のメンテナンスが容易に行えるようになる。
【００５９】
図４は第２実施形態の沈砂分離装置の側面断面図である。第１実施形態の沈砂分離装置と相違する点は、螺旋状分離通路３の断面積は、上側よりも下側が広くなるように設定されていることである。具体的には、螺旋状分離通路３の幅Ｗが上側よりも下側が広くなるように設定されている。
【００６０】
第２実施形態の沈砂分離装置であれば、第１実施形態の沈砂分離装置のように螺旋状分離通路３の断面積が上側と下側が同じであると、遠心力と重量沈殿とで、上側ほど重い粗砂、下側ほど軽い細砂が沈砂分離される。これに対して、螺旋状分離通路３の断面積を、第２実施形態の沈砂分離装置のように上側よりも下側を広く設定する。これにより、原水の流速は下側ほど遅くなって遠心力がより小さくなるから、軽い細砂の遠心分離は少なくなるものの、沈砂分離がより促進されて、沈砂分離能力が一層向上するようになる。また、螺旋状分離通路３の断面積が徐々に広くなるから、テーパ通路部の全長に亘って沈砂量が分散化（均一化）されるので、切欠き穴１５からの排出が安定するようになる。その他の作用効果は、第１実施形態の沈砂分離装置と同様である。
【００６１】
図５は第３実施形態の沈砂分離装置の側面断面図である。第１実施形態の沈砂分離装置と相違する点は、螺旋状分離通路３の断面積は、上側よりも下側が広くなるように設定されていることである。具体的には、螺旋状分離通路３の高さＴが上側よりも下側が広くなるように設定されている。
【００６２】
第３実施形態の沈砂分離装置であっても、第２実施形態の沈砂分離装置と同様の作用効果を奏することができる。
【００６３】
第２、第３実施形態では、螺旋状分離通路３の断面積を上側よりも下側が広くなるように設定したものであったが、場合によっては、螺旋状分離通路３の断面積を上側よりも下側が狭くなるように設定することも可能である。
【００６４】
また、螺旋状分離通路３の断面積を拡狭する手段として、螺旋状分離通路３の板金加工時に拡狭調整することが一般的であるが、板金加工後であれば、テーパ通路部内に板等の詰め物をすることで拡狭調整することも可能である。このような詰め物による調整作業も、前述のように、テーパ管２を上方に抜き外せば、螺旋状分離通路３の内部が全て露出可能であるから、容易に行うことができる。
【符号の説明】
【００６５】
１    沈砂分離槽
１Ａ  上槽
１Ｂ  下槽
２    テーパ管
２ａ  上部開口
２ｂ  下部開口
２ｄ  切欠き開口
３    螺旋状分離通路
３ａ  底壁
３ｂ  外壁部分
４    分離水排出管（分離水排出口）
６    原水流入口
７    分離砂排出口
１０  回転軸
１３  羽根部材
１５  切欠き穴
２０  電動機
Ｔ    高さ
Ｗ    幅
【図１】
2014205119.tif 000003
【図２】
2014205119.tif 000004
【図３】
2014205119.tif 000005
【図４】
2014205119.tif 000006
【図５】
2014205119.tif 000007
【図６】
2014205119.tif 000008